(57)【要約】【課題】液体の中での携帯式電子装置の浮力を高めることができる浮力装置及びこの浮力装置を用いた携帯式電子装置アセンブリを提供する。【解決手段】本発明に係る浮力装置は、主体部及び主体部の内部に設けられた密封された空洞部を備え、空洞部は、少なくとも２つの互いに隔離され且つそれぞれ密封された第一サブ空洞部及び第二サブ空洞部を含む。【選択図】図３
2016146614.tif 000002
【特許請求の範囲】
【請求項１】
主体部及び前記主体部の内部に設けられた密封された空洞部を備える浮力装置であって、前記空洞部は、少なくとも２つの互いに隔離され且つそれぞれ密封された第一サブ空洞部及び第二サブ空洞部を含むことを特徴とする浮力装置。
【請求項２】
前記第一サブ空洞部は、ハニカム状を呈し、且つ少なくとも２つの互いに隔離された第一小空洞部を含むことを特徴とする請求項１に記載の浮力装置。
【請求項３】
前記第二サブ空洞部は、少なくとも２つの互いに隔離された第二小空洞部を含むことを特徴とする請求項１に記載の浮力装置。
【請求項４】
前記主体部は、矩形の底板及び前記底板の縁に垂直に連接された四つの側板を含み、前記底板及び四つの前記側板は、それぞれ中空の構造であり、
四つの前記側板は、前記底板の四つの縁から垂直に前記底板を取り囲むように設けられて、前記底板と共同で携帯式電子装置を収容するための収容凹部を形成することを特徴とする請求項２に記載の浮力装置。
【請求項５】
前記底板は、間隔をあけて設けられた内壁及び外壁を含み、前記第一サブ空洞部は、前記底板における前記内壁と前記外壁との間に形成され、各第一小空洞部は、互いに連接する六つの側板を含み、各第一小空洞部の各側板は、前記底板の前記内壁及び前記外壁を連接することを特徴とする請求項４に記載の浮力装置。
【請求項６】
前記第二サブ空洞部は、前記第一サブ空洞部の周りに位置し且つ四つの前記側板の内部に形成され、
各第二小空洞部は、２つの仕切り板を含み、各仕切り板は、前記側板及び１つの前記第一小空洞部の２つの前記側板に連接されることを特徴とする請求項５に記載の浮力装置。
【請求項７】
携帯式電子装置及び前記携帯式電子装置に装着されて使用される浮力装置を備える携帯式電子装置アセンブリであって、
前記浮力装置は、請求項１〜６の何れか１項に記載する浮力装置であることを特徴とする携帯式電子装置アセンブリ。
【請求項８】
前記浮力装置は、収容凹部が形成されたハウジングであり、前記携帯式電子装置は、前記浮力装置の前記収容凹部に対応して収容されることを特徴とする請求項７に記載の携帯式電子装置アセンブリ。
【請求項９】
前記浮力装置は、前記携帯式電子装置のバックケースとして使用され、且つ前記携帯式電子装置の背面を被覆するように係合され、
前記携帯式電子装置アセンブリは、被覆膜をさらに備え、前記被覆膜は、前記浮力装置の前記空洞部に貼り付けられることを特徴とする請求項７に記載の携帯式電子装置アセンブリ。
【請求項１０】
前記浮力装置は、ナノボール材料によって製造され、前記空洞部の内部には、前記ナノボールがさらに充填されていることを特徴とする請求項７に記載の携帯式電子装置アセンブリ。
【発明の詳細な説明】
【技術分野】
【０００１】
本発明は、浮力装置及びこれを用いた携帯式電子装置アセンブリに関するものである。
【背景技術】
【０００２】
現在、無線通信技術の発展に伴って、携帯電話機及びタブレットパソコン等の携帯式電子装置は、人々の日常生活にとって欠くことのできないものとなっている。近年、携帯電話機に対する防水設計は益々発展しているが、従来の防水構造は、携帯電話機の各種のポートを塞ぐことによって、水等が携帯電話機の内部に入って、回路基板等の電子素子を損傷するのを防止する。しかし、携帯電話機が水の中に長時間浸かった場合、その防水機能も水圧の増大に伴って次第に失われてしまう。また、携帯電話機が不透明な液体の中に落ちた場合、ユーザは携帯電話機を素早く探し出すことが難しい。
【発明の概要】
【発明が解決しようとする課題】
【０００３】
本発明は、上記の問題点を考慮してなされたものであり、液体の中での携帯式電子装置の浮力を高めることができる浮力装置及びこの浮力装置を用いた携帯式電子装置アセンブリを提供することを目的とする。
【課題を解決するための手段】
【０００４】
上記の課題を解決するために、本発明に係る浮力装置は、主体部及び主体部の内部に設けられた密封された空洞部を備え、空洞部は、少なくとも２つの互いに隔離され且つそれぞれ密封された第一サブ空洞部及び第二サブ空洞部を含む。
【０００５】
また、上記の課題を解決するために、本発明に係る携帯式電子装置アセンブリは、携帯式電子装置及び携帯式電子装置に装着されて使用される浮力装置を備え、浮力装置は、主体部及び主体部の内部に設けられた密封された空洞部を備え、空洞部は、少なくとも２つの互いに隔離され且つそれぞれ密封された第一サブ空洞部及び第二サブ空洞部を含む。
【発明の効果】
【０００６】
従来の技術と異なり、本発明に係る携帯式電子装置に用いられる浮力装置は、その主体部に互いに隔離された第一サブ空洞部及び第二空洞部を設け、且つ第一サブ空洞部及び第二サブ空洞部の内部に密度がより小さい気体を封入して、浮力装置に大きな浮力を付与する。これにより、当該浮力装置が装着された携帯式電子装置が液体の中に落ちた時、液体上に浮かぶことができ、ユーザは携帯式電子装置を素早く見付けて液体の中から拾うことができる。また、液体は携帯式電子装置の内部まで入りにくく、携帯式電子装置はより優れた防水効果を得ることができる。
【０００７】
また、本発明は、第一サブ空洞部において複数の側板を設け、第二サブ空洞部において複数の仕切り板を設け、且つ側板と仕切り板とを互いに連接させることによって、浮力装置の空洞部の全体の構造強度を高め、浮力装置付きの携帯式電子装置が地面等に落下した時に受ける衝撃力を緩和して、携帯式電子装置が損傷するのを防止することができる。
【図面の簡単な説明】
【０００８】
【図１】図１は、本発明の第一実施形態に係る携帯式電子装置アセンブリの斜視図である。
【図２】図２は、図１に示した携帯式電子装置のハウジングの斜視図である。
【図３】図３は、図２に示したハウジングのＩＩＩ−ＩＩＩ線に沿った断面図である。
【図４】図４は、図２に示したハウジングのＩＶ−ＩＶ線に沿った断面図である。
【図５】図５は、本発明の第二実施形態に係る携帯式電子装置アセンブリの分解図である。
【発明を実施するための形態】
【０００９】
図１に示すように、本発明の第一実施形態に係る携帯式電子装置アセンブリ１００は、浮力装置５０及び携帯電話機、タブレットパソコン等の携帯式電子装置９０を備える。浮力装置５０は、携帯式電子装置９０の周面及び背面を包むように携帯式電子装置９０に装着されて、携帯式電子装置９０を保護し、且つ液体（例えば、水）の中での携帯式電子装置９０の浮力を高める。
【００１０】
本発明の第一実施形態において、浮力装置５０は、携帯式電子装置９０に適用されるハウジングであり、プラスチック又はシリカゲルからなる。図２及び図３に示すように、浮力装置５０は、主体部５１を備える。主体部５１は、矩形の底板５１１及び底板５１１の縁から垂直に連接された四つの側板５１３を含む。底板５１１及び側板５１３は、それぞれ中空の構造である。底板５１１は、互いに対して間隔をあけて設けられた内壁５１１１及び外壁５１１３を含む。
【００１１】
四つの側板５１３は、底板５１１の四つの縁から垂直に、底板５１１を取り囲むように設けられて、底板５１１と共同で収容凹部５１５を形成する。該収容凹部５１５は、携帯式電子装置９０を収容するために用いられる。
【００１２】
底板５１１の内壁５１１１、外壁５１１３及び四つの側板５１３は、空洞部５３を形成する。空洞部５３の内部には、空気又は窒素等の密度がより小さい気体が充填される。本実施形態において、空洞部５３は、少なくとも２つの互いに隔離され且つそれぞれ閉鎖されている第一サブ空洞部５３１及び第二サブ空洞部５３３を含む。第一サブ空洞部５３１は、底板５１１の内部における内壁５１１１と外壁５１１３との間に形成される。第二サブ空洞部５３３は、四つの側板５１３の内部に形成される。
【００１３】
図４を併せて参照すると、第一サブ空洞部５３１は、ハニカム状構造を呈し、且つ少なくとも２つの互いに隔離して密封された第一小空洞部５３１１を含む。具体的には、各第一小空洞部５３１１は、６角形構造であり、且つ互いに連接した六つの側板５３１３を有する。各側板５３１３は、底板５１１の内壁５１１１及び外壁５１１３を連接する。これにより、浮力装置５０の第一サブ空洞部５３１の構造強度は高くなる。浮力装置５０は、当該浮力装置５０の内部に収容された携帯式電子装置９０と共に落下して、底板５１１が地面等に接触した時、側板５３１３は、携帯式電子装置９０が受けた衝撃力を緩和して、携帯式電子装置９０が損傷するのを防止する。
【００１４】
第二サブ空洞部５３３は、第一サブ空洞部５３１の周りに設けられ、且つ四つの側板５１３の内部に位置する。第二サブ空洞部５３３及び第一サブ空洞部５３１は、互いに隔離され、また、少なくとも２つの互いに隔離され且つそれぞれ密封された第二小空洞部５３３１を含む。各第二小空洞部５３３１は、２つの仕切り板５３３３を含む。各仕切り板５３３３は、側板５１３及び１つの第一小空洞部５３１１の２つの側板５３１３に連接されている。これにより、第二サブ空洞部５３３の構造強度はさらに高められる。本実施形態において、浮力装置５０の長手方向に沿う２つの側板５１３内の第二サブ空洞部５３３は、連続して設けられている。浮力装置５０の短手方向に沿う２つの側板５１３内の第二サブ空洞部５３３は、互いに間隔をあけて設けられている。
【００１５】
浮力装置５０及び当該浮力装置５０の内部に収容された携帯式電子装置９０が落下して、浮力装置５０の側板５１３が地面等に接触した時に、仕切り板５３３３は、携帯式電子装置９０が受けた衝撃力を緩和して、携帯式電子装置９０が損傷しないように保護する。
【００１６】
浮力装置５０を製造する場合、空気室や窒素ガス室の中で射出成形を行って浮力装置５０を製造することが好ましい。これにより、浮力装置５０の空洞部５３の第一サブ空洞部５３１及び第二サブ空洞部５３３に小さい密度の気体が充填される。その後、携帯式電子装置９０を浮力装置５０の収容凹部５１５内に装着すればよい。浮力装置５０が装着された携帯式電子装置９０が地面等に落下した時、浮力装置５０の空洞部５３内の複数の側板５３１３及び仕切り板５３３３は、携帯式電子装置９０を収容した浮力装置５０を支持し、且つ携帯式電子装置９０が受けた衝撃力を緩和して、携帯式電子装置９０が損傷するのを防止する。
【００１７】
浮力装置５０が装着された携帯式電子装置９０が液体（例えば、水等）の中に落ちた時、携帯式電子装置９０は、空洞部５３の第一サブ空洞部５３１及び第二サブ空洞部５３３内の空気によって、より大きな浮力を備えているため、液体の底部まで沈まず、液体上に浮かぶ。これにより、液体が携帯式電子装置９０の内部まで入りにくく、しかもユーザは、素早く携帯式電子装置９０を液体の中から拾うことができる。
【００１８】
図５に示すように、本発明の第二実施形態に係る携帯式電子装置アセンブリ２００は、浮力装置１５０及び携帯式電子装置１９０を含む。浮力装置１５０の内部には、空洞部１５３が形成されている。第二実施形態に係る空洞部１５３の構造及び機能は、第一実施形態に係る空洞部５３の構造及び機能とほぼ同じであるが、しかし異なる点は、第二実施形態の浮力装置１５０が、携帯式電子装置１９０のバックケースとして、携帯式電子装置１９０の背面を被覆するように係合される点である。また、携帯式電子装置アセンブリ２００は、被覆膜１５５をさらに備える。該被覆膜１５５は、透明又は不透明なフィルムであり、浮力装置１５０の内部の空洞部１５３に貼り付けられて、空洞部１５３の気密性を確保する。
【００１９】
変形例として、ナノボール材料を採用して、浮力装置５０、１５０を製造してもよい。又は空洞部５３、１５３の内部にナノボールを充填してもよい。また、ナノボールの内部に小さい密度の気体を封入して、浮力装置５０、１５０の浮力をさらに増加することもできる。
【００２０】
上記の記載から分かるように、本発明は、浮力装置５０、１５０を中空の構造に成形し、且つ浮力装置５０、１５０の底板５１１と側板５１３との間に空気等が充填された第一サブ空洞部５３１及び第二サブ空洞部５３３を設けて、浮力装置５０、１５０に大きな浮力を付与する。これにより、浮力装置５０、１５０が装着された携帯式電子装置９０、１９０が液体の中に落ちた時、液体の底部まで沈まず、液体上に浮かぶことができる。よって、液体が携帯式電子装置９０、１９０の内部まで入りにくく、しかもユーザは、素早く携帯式電子装置９０、１９０を見付けて液体の中から拾うことができる。また、第一サブ空洞部５３１はハニカム状を呈し、第二サブ空洞部５３３は複数の第二小空洞部５３３１を含むので、第一サブ空洞部５３１又は第二サブ空洞部５３３内の何れか１つの第一小空洞部５３１１又は第二小空洞部５３３１が損傷しても、他の第一小空洞部５３３１又は第二小空洞部５３３１の気密性に影響せず、浮力装置５０の信頼性を高めることができる。また、本発明は、第一サブ空洞部５３１に複数の側板５３１３を設け、第二サブ空洞部５３３に複数の仕切り板５３３３を設け、且つ側板５３１３と仕切り板５３３３とを互いに連接させることによって、浮力装置５０の空洞部５３の全体の構造強度を高めている。これにより、浮力装置５０が装着された携帯式電子装置９０が地面等に落下した時、その受けた衝撃力は緩和され、携帯式電子装置９０が損傷するのを防止することができる。
【符号の説明】
【００２１】
１００、２００  携帯式電子装置アセンブリ
９０、１９０  携帯式電子装置
５０、１５０  浮力装置
５１  主体部
５１１  底板
５１１１  内壁
５１１３  外壁
５１３  側板
５１５  収容凹部
５３、１５３  空洞部
５３１  第一サブ空洞部
５３１１  第一小空洞部
５３１３  側板
５３３  第二サブ空洞部
５３３１  第二小空洞部
５３３３  仕切り板
１５５  被覆膜
【図１】
2016146614.tif 000003
【図２】
2016146614.tif 000004
【図３】
2016146614.tif 000005
【図４】
2016146614.tif 000006
【図５】
2016146614.tif 000007